【手続補正書】
【提出日】平成20年7月28日(2008.7.28)
【手続補正１】
【補正対象書類名】明細書
【補正対象項目名】全文
【補正方法】変更
【補正の内容】
【書類名】    明細書
【発明の名称】  商品包装袋
【特許請求の範囲】
【請求項１】  表側フィルムと裏側フィルムとを有し、これら表側フィルムと裏側フィルムの両側縁どうし、および下縁どうしが連結されて袋部が形成されている商品包装袋であって、
表側フィルムには、裏側フィルムの上縁よりもさらに上方に延出する蓋部が連続しているとともに、この蓋部の裏面所定部位または裏側フィルムの外面の所定部位に粘着剤が塗布されていて、上記蓋部を折り返し線で折り返してこの蓋部を裏側フィルムの外面上に上記粘着剤により付着させて袋部を封緘することができるように構成されており、かつ、
上記蓋部には、容易に切り起こし可能な吊り下げ部が形成されていることを特徴とする、商品包装袋。
【請求項２】  上記蓋部には、始点および終点がほぼ上記折り返し線上に位置する切り起こし線が形成されており、この切り起こし線で分離することにより、舌片状の吊り下げ部が切り起こし可能となっている、請求項１に記載の商品包装袋。
【請求項３】  上記切り起こし線は、ミシン目によって形成されている、請求項２に記載の商品包装袋。
【請求項４】  上記吊り下げ部には、吊り下げ孔または吊り下げフックが形成されている、請求項１ないし３のいずれかに記載の商品包装袋。
【請求項５】  上記吊り下げ部は、上記蓋部を構成する表側フィルムの裏面側に芯材を一体的に溶着して形成されている、請求項１ないし４のいずれかに記載の商品包装袋。
【発明の詳細な説明】
【０００１】
【発明の属する技術分野】
本願発明は、商品包装袋に関する。
【０００２】
【従来の技術および発明が解決しようとする課題】
小型商品を収納し、効果的に陳列することができるようにした包装袋として、ヘッダ付き商品包装袋がある。このヘッダ付き商品包装袋は、ヘッダ部と、このヘッダ部の下方につながる袋部とを有し、ヘッダ部には、フックが形成されている。陳列装置としては、垂直状の陳列壁から複数の陳列棒が突出した形態のものが使用され、この陳列棒に上記のフックを引っ掛けるようにして、商品が収納された上記の包装袋が展示される。
【０００３】
このようなヘッダ付き包装袋は、上記のようにして陳列棒に引っ掛けて陳列する場合には都合がよい。しかしながら、平面的な陳列台に並べて陳列するには必ずしも適切な形態であるとはいえない。すなわち、ヘッダ部は、袋部から延出していて、収納には何ら寄与しない上に、このヘッダ部の延出分の陳列スペースが実質上無駄になってしまい、陳列スペースを有効利用することができない。また、このようなヘッダ付き包装袋を平面的な陳列台上に陳列すると、明らかに吊り下げ陳列するように構成されたものが平面的な陳列台に置かれているという違和感を購買者に与え、このようなことは、売り場の品位を悪化させて好ましくない。
【０００４】
また、このようなヘッダ付き包装袋を多数梱包して輸送する場合においても、ヘッダ部分が無駄に嵩張り、輸送コストが高くなるという問題もある。
【０００５】
本願発明は、このような事情のもとで考え出されたものであって、陳列棒に引っ掛けて吊り下げ展示をすることと、平面的な陳列台上にスペース効率良く並べて展示することを容易に選択することができる新たな包装袋を提供することをその課題としている。
【０００６】
【発明の開示】
上記の課題を解決するため、本願発明では、次の技術的手段を採用した。
【０００７】
すなわち、本願発明に係る商品包装袋は、表側フィルムと裏側フィルムとを有し、これら表側フィルムと裏側フィルムの両側縁どうし、および下縁どうしが連結されて袋部が形成されている商品包装袋であって、表側フィルムには、裏側フィルムの上縁よりもさらに上方に延出する蓋部が連続しているとともに、この蓋部の裏面所定部位または裏側フィルムの外面の所定部位に粘着剤が塗布されていて、上記蓋部を折り返し線で折り返してこの蓋部を裏側フィルムの外面上に上記粘着剤により付着させて袋部を封緘することができるように構成されており、かつ、上記蓋部には、容易に切り起こし可能な吊り下げ部が形成されていることを特徴としている。
【０００８】
好ましい実施の形態においては、上記蓋部には、始点および終点がほぼ上記折り返し線上に位置する切り起こし線が形成されており、この切り起こし線で分離することにより、舌片状の吊り下げ部が切り起こし可能となっている。切り起こし線は、たとえば、ミシン目によって形成することができる。
【０００９】
好ましい実施の形態においてはまた、上記吊り下げ部には、吊り下げ孔または吊り下げフックが形成されている。
【００１０】
好ましい実施の形態においてはさらに、上記吊り下げ部は、上記蓋部を構成する表側フィルムの裏面側に芯材を一体的に溶着して形成されている。
【００１１】
本願発明に係る商品包装袋においては、表側フィルムの上部から延出する蓋部が袋部の開口を封止するための封緘部として機能する。すなわち、この蓋部は、裏側フィルムの外面上に折り返され、蓋部または裏側フィルムの所定部位に塗布された粘着剤によって裏側フィルムの外面上に付着させられる。使用前においては、粘着剤が塗布された部位には、離型紙が貼着される。
【００１２】
したがって、袋部に商品を収納し、表側フィルムの上記蓋部によって袋部が封緘された状態では、従来のヘッダ付き商品包装袋のように、商品収納に寄与しない部位が延出しなくなる。したがって、平面的な陳列台上にスペース効率良く、しかも不体裁となることなく、陳列することができる。
【００１３】
一方、蓋部には、容易に切り起こし可能な吊り下げ部が設けられているので、この吊り下げ部を利用して、この商品包装袋を陳列棒に吊り下げるという展示方法を必要に応じて選択することができる。この吊り下げ部は、蓋部の面内に付属しているので、この吊り下げ部を用いない場合においても、邪魔になることはない。
【００１４】
吊り下げ部を容易に切り起こすことができるようにするためには、上述したように、上記蓋部にミシン目を形成しておくとよく、このようにすれば、わずかな力で、特別な用具を用いることなく、吊り下げ部を蓋部から切り起こすことができる。
【００１５】
上述のように、蓋部の裏面における、少なくとも吊り下げ部を形成する領域に芯材を全面溶着しておくことにより、この吊り下げ部を、従来のヘッダ付き商品包装袋のヘッダのようにある程度の剛性を持ったものとすることができ、比較的重量のある商品を収納して吊り下げ展示する場合においても、保形性をもってこの商品包装袋の展示状態を維持することができるようになる。
【００１６】
本願発明のその他の特徴および利点は、添付の図面を参照して以下に行う詳細な説明から、より明らかとなろう。
【００１７】
【好ましい実施の形態】
以下、本願発明の好ましい実施の形態を、図面を参照しつつ具体的に説明する。
【００１８】
図１ないし図６は、本願発明に係る商品包装袋１０の第１の実施形態を示し、図１(a) は、封緘前の状態を裏面側から見た図、図１(b) は図１(a) のIb-Ib 線断面図、図２は図１(a) のII-II 線断面図、図３は、封緘後の状態を裏面側から見た図、図４は図３のIV-IV 線断面図、図５は吊り下げ部を切り起こした状態を裏面側から見た図、図６は図５のVI-VI 線断面図である。
【００１９】
この商品包装袋１０は、たとえば透明な比較的軟質の合成樹脂フィルムからなる表側フィルム２０と裏側フィルム３０とを備えている。これら表側フィルム２０と裏側フィルム３０とは、正面視において同一幅の矩形状をしており、それらの両側縁２０ａ，３０ａどうし、底縁２０ｂ，３０ｂどうしが連結されて、上部が開口する袋部１５を形成している。表側フィルム２０と裏側フィルム３０の両側縁２０ａ，３０ａの溶着は、表側フィルム材と裏側フィルム材とを重ねた状態において、所定の熱板を作用させることにより、フィルム材の切断と溶着とを同時に行うことにより、達成することができる。この実施形態では、表側フィルム２０と裏側フィルム３０とは、一連のフィルムを折り畳むことにより、底縁どうしの連結が図られているが、別々に準備された表側フィルムと裏側フィルムとの底縁どうしを溶着によって連結してもよい。
【００２０】
図１および図２に良く表れているように、表側フィルム２０は、裏側フィルム３０の上縁よりもさらに上方に所定長さ延出する延出部２１を有している。この延出部２１の裏面には、表裏のフィルム２０，３０よりも厚手に形成して剛性を与えられた合成樹脂板製の芯材４０が全面的に一体溶着され、これにより、延出部２１の基部に相当する折り返し線２２で折り返し可能な蓋部５０が形成されている。このような表側フィルム２０と芯材４０との一体溶着は、芯材４０と延出部２１とを積層した状態において、熱をかけることにより達成することができる。
【００２１】
上記したように形成された蓋部５０の裏面には、蓋部５０の先端縁に沿うようにして、粘着剤６１が帯状に塗布されており、この粘着剤６１を覆うようにして、離型紙６２が貼付されている。
【００２２】
上記蓋部５０にはまた、容易に切り起こし可能な吊り下げ部７０が形成されている。すなわち、この蓋部５０には、図１に良く表れているように、折り返し線２２上に始点５１ａと終点５１ｂとを有する略Ｕ字状の切り起こし線５１が形成されており、この切り起こし線５１に沿って舌片状の吊り下げ部７０を切り起こすとができるようになっている。切り起こし線５１は、たとえば、細幅の通孔を破線状に配置してなるミシン目線５１′によって形成することができる。吊り下げ部７０にはまた、丸穴状の吊り下げ孔７１が形成されている。上記のミシン目線５１′および吊り下げ孔７１は、打ち抜き加工によって容易に形成することができる。
【００２３】
上記構成の商品包装袋１０は、たとえば、次のようにして製造することができる。
【００２４】
まず、図７に示すように、所定幅を有する合成樹脂フィルム材１０′を長手方向に搬送しつつ、二つ折りに折り畳む。このようにして折り畳まれて重なるフィルム材２０′，３０′が、上記した表側フィルム２０と裏側フィルム３０となるのであり、したがって、裏側フィルム材３０′の幅に対し、表側フィルム材２０′の幅が、上記した蓋部５０を形成するための延出部２１′に相当する分長くなるように折り畳む。なお、このとき、蓋部５０に芯材４０を溶着する工程、および、蓋部５０に粘着剤６１を塗布し、離型紙６２を貼付する工程の便宜のため、裏側フィルム材３０′が上、表側フィルム材２０′が下になるように搬送している。
【００２５】
次に、図８に示すように、表側フィルム材２０′の延出部２１′に、この延出部２１′の幅に相当する幅を有する比較的厚手の合成樹脂板からなる芯材４０′を全面的に溶着する。この工程は、延出部２１′に芯材４０′を添着しつつ、熱ローラ等によってこれらを挟着することにより、容易に行うことができる。
【００２６】
次に、図９に示すように、上記した延出部２１′と芯材４０′との重合溶着部５０′に、所定ピッチ間隔で、ミシン目線５１′および吊り下げ孔７１を打ち抜きによって形成する。
【００２７】
また、図１０に示すように、上記した延出部２１′と芯材４０′との重合溶着部５０′には、その端縁５０ａ′に沿って、粘着剤６１が帯状に塗布され、かつ、このように塗布された粘着剤６１上に帯状の離型紙６２を貼付する。
【００２８】
最後に、図１１に示すように、上記の工程を終えた中間品を搬送しつつ、所定の熱板を用い、所定の搬送方向幅ごとに、熱溶断して個々の商品包装袋１０が得られる。この熱溶断工程により、中間品の分断と、個々の商品包装袋１０における表側フィルム２０と裏側フィルム３０との両側縁２０ａ，３０ａどうしの溶着とが同時に行われる。
【００２９】
そして、この商品包装袋１０は、次のようにして、平面的な陳列台上に陳列することと、吊り下げ棒に吊り下げ陳列することとを選択することができる。
【００３０】
すなわち、平面的な陳列台上に陳列する場合には、袋部１５に商品を収納した後、図３および図４に表れているように、蓋部５０の裏面の離型紙６２を除去して粘着剤６１を露出させ、蓋部５０を裏側フィルム３０上に付着させて袋部１５の封緘をした状態のまま、陳列する。この場合、商品収納に寄与しない部分が袋部１５から延出するといったことがないので、陳列スペースを効率よく利用して平面的に陳列をすることができる。また、多数を梱包して輸送するにあたっても、効率がよい。
【００３１】
一方、吊り下げ陳列をする場合には、図５および図６に表れているように、蓋部５０に付属する吊り下げ部７０をミシン目線５１′に沿って切り起こし、この吊り下げ部７０の吊り下げ孔７１を吊り下げ棒に通すようにして、吊り下げ陳列する。この実施形態においては、蓋部５０は、表側フィルム２０の延出部２１の裏面側に芯材４０を溶着して剛性が与えられており、また、吊り下げ部７０もまた、延出部２１の裏面側に芯材４０が溶着されて剛性を有するものとなっているので、袋部１５に比較的重量のある商品を収納した場合であっても、蓋部５０が有する剛性が、袋部全体に保形性を与え、商品重量によって袋部１５の形態がくずれて展示の見栄えが悪化するということがなくなるし、また、重量に負けて吊り下げ部７０の吊り下げ孔７１が裂けてしまうといった問題も回避することができる。
【００３２】
図１２および図１３は、本願発明に係る商品包装袋の第２の実施形態を示している。第１の実施形態に対し、この第２の実施形態では、吊り下げ部７０の構成に変更を加えている。すなわち、この第２の実施形態では、吊り下げ部７０に、Ｌ字状の切込みを入れて吊り下げフック７２を形成しており、このようにすることにより、吊り下げ棒に吊り下げ部７０を側方から引っ掛けるようにして、吊り下げ展示をすることができる。その他の構成は、前述した第１の実施形態と同様であるので、説明を省略する。この場合においても、蓋部５０で封緘をした後、吊り下げ部７０を切り起こさずに、平面的な展示台上に展示をすることと、吊り下げ部７０を切り起こして吊り下げ棒に吊り下げ展示することとを選択できるという、上述したのと同様の作用効果を期待することができる。
【００３３】
図１４および図１５は、本願発明に係る商品包装袋の第３の実施形態を示している。この実施形態では、第２の実施形態に対し、蓋部５０に全面溶着する芯材４０の上下寸法を小さくしている。すなわち、この芯材４０の折り返し線２２からの寸法を、吊り下げ部７０の形成に必要十分な寸法に留め、表側フィルム２０の延出部２１の先端部を、芯材が添着されない状態のまま残し、この部位に、帯状の粘着剤６１の塗布、および、離型紙６２の貼付を行っている。このようにすると、粘着剤６１が塗布された部位が柔軟性を保持したままとなるので、袋部１５に収納した商品に凹凸があっても、その凹凸に応じて蓋部５０の先端を裏側フィルム３０に添わせ、確実な封緘を達成することができる。そして、この実施形態においても、前述したのと同様の作用効果を期待することができることは、容易に理解されよう。
【００３４】
もちろん、この発明の範囲は上述した実施形態に限定されるものではない。包装袋１０の大きさ、吊り下げ部の形状は、種々変更が可能である。また、吊り下げ部７０を容易に切り起こすための切り起こし線５１は、ミシン目線のほか、薄肉部によって形成してもよい。
【００３５】
さらに、上記した実施形態では、蓋部５０の裏面に封緘用の粘着剤６１を塗布したが、裏側フィルム３０の所定部位に粘着剤を塗布しても、蓋部５０を折り返した場合に袋部１５の封緘を達成することができる。もちろん、この場合、粘着剤上に離型紙を貼付することになる。
【図面の簡単な説明】
【図１】
(a) は本願発明の第１の実施形態に係る商品包装袋の封緘前の状態を裏面側から見た図、(b) は(a) のIb-Ib 線断面図である。
【図２】
図１(a) のII-II 線断面図である。
【図３】
図１に示される商品包装袋の封緘後の状態を裏面側から見た図である。
【図４】
図３のIV-IV 線断面図である。
【図５】
図３に示される商品包装袋の吊り下げ部を切り起こした状態を裏面側から見た図である。
【図６】
図５のVI-VI 線断面図である。
【図７】
図１に示される商品包装袋の製造方法説明図である。
【図８】
図１に示される商品包装袋の製造方法説明図である。
【図９】
図１に示される商品包装袋の製造方法説明図である。
【図１０】
図１に示される商品包装袋の製造方法説明図である。
【図１１】
図１に示される商品包装袋の製造方法説明図である。
【図１２】
本願発明の第２の実施形態に係る商品包装袋の封緘前の状態を裏面側から見た図である。
【図１３】
図１２のXIII-XIII 線断面図である。
【図１４】
本願発明の第３の実施形態に係る商品包装袋の封緘前の状態を裏面側から見た図である。
【図１５】
図１４のXV-XV 線断面図である。
【符号の説明】
１０  商品包装袋
１５  袋部
２０  表側フィルム
２０ａ  （表側フィルムの）側縁
２０ｂ  （表側フィルムの）底縁
２１  延出部
２２  折り返し線
３０  裏側フィルム
３０ａ  （裏側フィルムの）側縁
３０ｂ  （裏側フィルムの）底縁
４０  芯材
５０  蓋部
５１  切り起こし線
５１′  ミシン目線
６１  粘着剤
６２  離型紙
７０  吊り下げ部
７１  吊り下げ孔
７２  吊り下げフック